(57)【要約】【課題】物理的な力によって太陽電池セルが破断しても発電能力が低下することを防ぐ太陽電池装置を提供する。【解決手段】太陽電池装置１０は、複数の太陽電池セル３と、太陽電池セル３における、各太陽電池セル３、または太陽電池セル３と外部装置との電気的接続を行うためのコモン電極端子以外の電極端子４とを備え、太陽電池セル３の複数の箇所において、太陽電池セル３と電極端子４との電気的接続が複数の金属線５により行われることにより、太陽電池セル３が物理的な力によって破断した場合でもその発電能力の低下を防ぐ。【選択図】図１
2010103441.tif 000002
【特許請求の範囲】
【請求項１】
複数の太陽電池セルと、
上記太陽電池セルにおける、上記各太陽電池セル、または上記太陽電池セルと外部装置との電気的接続を行うためのコモン電極端子以外の電極端子とを備え、
上記太陽電池セルの複数の箇所において、上記太陽電池セルと上記電極端子との電気的接続が、当該電気的接続を行うための第１接続手段により行われることにより、上記太陽電池セルが物理的な力によって破断した場合でもその発電能力の低下を防ぐことを特徴とする太陽電池装置。
【請求項２】
上記第１接続手段は、断面の直径が１ｍｍ未満の金属線であることを特徴とする請求項１に記載の太陽電池装置。
【請求項３】
上記金属線は、三角形以上の多角形の断面を有することを特徴とする請求項２に記載の太陽電池装置。
【請求項４】
上記第１接続手段は、短手方向の長さが１ｍｍ未満の金属帯であることを特徴とする請求項１に記載の太陽電池装置。
【請求項５】
上記電極端子は、少なくとも２箇所以上設けられていることを特徴とする請求項１〜４のいずれか一項に記載の太陽電池装置。
【請求項６】
上記電極端子は、
上記太陽電池セルが、矩形、もしくは部分的に直角でない角を有する矩形である場合には、辺に沿って、もしくは角に沿って、もしくはその双方に設けられており、
上記太陽電池セルが、円形である場合には、円周に沿って、もしくは円の中心部分に、もしくはその双方に設けられていることを特徴とする請求項５に記載の太陽電池装置。
【請求項７】
上記電極端子は、上記太陽電池セルの周縁部を少なくとも部分的に覆うような環状に設けられていることを特徴とする請求項５に記載の太陽電池装置。
【請求項８】
上記電極端子間を接続する第２接続手段をさらに設けていることを特徴とする請求項５〜７のいずれか一項に記載の太陽電池装置。
【請求項９】
上記電極端子は、相互に電気的に導通するような形状で金属または金属を含む導電材料により形成されていることを特徴とする請求項１〜８のいずれか一項に記載の太陽電池装置。
【請求項１０】
上記金属線は、金、銅、もしくはアルミニウムを含む金属から成ることを特徴とする請求項２〜９のいずれか一項に記載の太陽電池装置。
【請求項１１】
上記金属線が銅を含む金属から成る場合、当該金属線は樹脂によりコーティングされていることを特徴とする請求項１０に記載の太陽電池装置。
【請求項１２】
請求項１〜１１のいずれか一項に記載の太陽電池装置が搭載されている、もしくは電気的に接合されていることを特徴とする携帯電子機器。
【請求項１３】
上記携帯電子機器は、携帯電話機、デジタルスチルカメラ、もしくはデジタルビデオカメラであることを特徴とする請求項１２に記載の携帯情報電子機器。
【請求項１４】
請求項１〜１１のいずれか一項に記載の太陽電池装置が搭載されている、もしくは電気的に接合されていることを特徴とする全地球測位システム装置。
【発明の詳細な説明】
【技術分野】
【０００１】
本発明は、太陽電池セルを具備する太陽電池装置に関するものであり、より詳しくは物理的な力によって太陽電池セルが破断しても発電能力が低下することを防ぐ太陽電池装置、携帯電子機器、並びに全地球測位システム装置に関するものである。
【背景技術】
【０００２】
現在、携帯情報電子機器は一般に２次電池を電源として動作し、この２次電池への電力供給は利用者が商用電源であるコンセントに接続して変圧装置等を通して充電を行うことにより行われる。しかしながら、これら携帯情報電子機器が用いられる際には一般的に電源確保が困難な場合が多く、利用中・携帯中に充電量が減少しこれを補うために乾電池からの充電、あるいは携帯情報電子機器とは別に太陽電池により発電した電力を２次電池に蓄電または変圧回路等を介して直接充電する機器が利用されることがある。これらの充電機器は、商用電源を確保する必要がない反面、携帯情報電子機器と共に携帯する必要があり、また充電のために携帯情報電子機器の外部接続端子に物理的に接続する必要があり、移動中などには取り扱いに不便なことがある。そこで、太陽電池を携帯情報電子機器に搭載することが提案されている。
【０００３】
今後、携帯情報電子機器は日常生活の必需品として益々重要度を増す反面、寸法重量は益々低減が必要であり、また、直射日光下、高湿度下、乗用車両への搭載などによる振動、携帯時の圧迫・落下などの電子機器としては非常に厳しい環境下で使用可能なことが求められている。このため、携帯情報電子機器に搭載される太陽電池セルを含む太陽電池装置には、外部環境からの影響に強く、携帯性を損なうことのない軽薄短小な太陽電池装置が求められている。
【０００４】
現在家庭用として実現している太陽電池装置は、太陽電池そのものはガラスに被覆されているため外力に対して強いといった特徴がある反面、ガラス板を支持体とするため重く、また割れやすいといった欠点があり、この従来からのガラス板を支持体とする太陽電池装置を単に小型化することでは実用的でない。そこで、ガラスを樹脂板あるいは樹脂シートに代替することで携帯情報電子機器用に小型化軽量化した太陽電池装置が提案されたが、この太陽電池装置を構成する太陽電池セルは外部からの物理的作用により破断しやすく、その結果出力の減少もしくは出力が得られなくなりやすいといった問題があった。
【０００５】
なお、従来、太陽電池装置における太陽電池セル間の接続は、特許文献１に示されているように、あるいは、図１４に示すように、太陽電池セルの表面電極と裏面電極とを一部重畳させて行われていた。しかしながら、このような接続方法は、携帯情報電子機器に搭載する際にはデザイン上もしくは強度の観点から採用できない。
【特許文献１】実開昭６２−１５７１６３号公報（１９８７年１０月６日公開）
【発明の開示】
【発明が解決しようとする課題】
【０００６】
上述のように、携帯情報電子機器用に小型化軽量化した太陽電池装置における太陽電池セルは、外部からの物理的作用により破断しやすく、その結果出力の減少もしくは出力が得られなくなりやすいといった問題があった。
【０００７】
本発明は、上記の問題点を鑑みてなされたものであり、その目的は、物理的な力によって太陽電池セルが破断しても発電能力が低下することを防ぐ太陽電池装置、携帯電子機器、並びに全地球測位システム装置を提供することにある。
【課題を解決するための手段】
【０００８】
本発明に係る太陽電池装置は、上記課題を解決するために、複数の太陽電池セルと、
上記太陽電池セルにおける、上記各太陽電池セル、または上記太陽電池セルと外部装置との電気的接続を行うためのコモン電極端子以外の電極端子とを備え、上記太陽電池セルの複数の箇所において、上記太陽電池セルと上記電極端子との電気的接続が、当該電気的接続を行うための第１接続手段により行われることにより、上記太陽電池セルが物理的な力によって破断した場合でもその発電能力の低下を防ぐことを特徴としている。
【０００９】
上記の構成によれば、太陽電池セルと電極端子との電気的接続が、上記太陽電池セルの複数の箇所において第１接続手段により行われるため、物理的な力によって上記太陽電池セルが破断しても、いずれかの部分において電気的な接続が確保されるため、発電能力が低下することを防ぐことができる。
【００１０】
また、本発明に係る携帯電子機器は、上記または下記太陽電池装置が搭載されている、もしくは電気的に接合されていることを特徴としている。上記携帯電子機器は、携帯電話機、デジタルスチルカメラ、もしくはデジタルビデオカメラであることが好ましい。
【００１１】
また、本発明に係る全地球測位システム装置は、上記または下記太陽電池装置が搭載されている、もしくは電気的に接合されていることを特徴としている。
【００１２】
以上により、物理的な力によって太陽電池が破断しても発電能力が低下することを防ぐ太陽電池装置、携帯電子機器、並びに全地球測位システム装置を提供することができるという効果を奏する。
【００１３】
本発明に係る太陽電池装置は、上記第１接続手段は、断面の直径が１ｍｍ未満の金属線であることが好ましい。
【００１４】
上記太陽電池装置が搭載される携帯情報電子機器の主なものとしては、携帯電話機が挙げられるが、この場合、上記太陽電池セルと上記電極端子との接続部分は、携帯電話機の額縁部分に収めるように構成されるものと考えられる。この場合、上記の構成によれば、上記接続部分の面積が小さくて済むので、有利である。また、例えば半導体集積回路のワイヤボンディングなどに用いられる金属線は、断面の直径が１ｍｍ〜２ｍｍのものが主流であるが、上記の構成のように１ｍｍ未満とすることで、より一層携帯情報電子機器へ適用する場合に有利である。
【００１５】
また、上記の構成によれば、配線に自由度が増し、また上記接続部分の面積が小さくて済むためにその分上記太陽電池セルの面積を大きくすることができる。
【００１６】
本発明に係る太陽電池装置は、上記金属線は、三角形以上の多角形の断面を有することが好ましい。
【００１７】
本発明に係る太陽電池装置は、上記第１接続手段は、短手方向の長さが１ｍｍ未満の金属帯であることが好ましい。
【００１８】
上記の構成によっても、上記第１接続手段が金属線である場合と同様な効果を奏することができる。
【００１９】
本発明に係る太陽電池装置は、上記電極端子は、少なくとも２箇所以上設けられていることが好ましい。
【００２０】
本発明に係る太陽電池装置は、上記電極端子は、上記太陽電池セルが、矩形、もしくは部分的に直角でない角を有する矩形である場合には、辺に沿って、もしくは角に沿って、もしくはその双方に設けられており、上記太陽電池セルが、円形である場合には、円周に沿って、もしくは円の中心部分に、もしくはその双方に設けられていることが好ましい。
【００２１】
上記電極端子は、例えば上記太陽電池セルが破断しやすい方向などを考慮し、それに対して電気的な接続が確保できるように配置すればよく、それにより、より高い確率で電気的な接続が確保され、より確実に発電能力が低下することを防ぐことができる。
【００２２】
本発明に係る太陽電池装置は、上記電極端子は、上記太陽電池セルの周縁部を少なくとも部分的に覆うような環状に設けられていることが好ましい。
【００２３】
上記の構成によれば、特に上記太陽電池セルの周縁部を連続して全体的に覆うような環状に設けられている場合などは、最も確実に電気的な接続が確保されるので、最も確実に発電能力が低下することを防ぐことができる。
【００２４】
本発明に係る太陽電池装置は、上記電極端子間を接続する第２接続手段をさらに設けることが好ましい。
【００２５】
上記の構成によれば、第２接続手段を設けて上記電極端子間を接続するため、より高い確率で電気的な接続が確保され、より確実に発電能力が低下することを防ぐことができる。
【００２６】
本発明に係る太陽電池装置は、上記電極端子は、相互に電気的に導通するような形状で金属または金属を含む導電材料により形成されていることが好ましい。
【００２７】
本発明に係る太陽電池装置は、上記金属線は、金、銅、もしくはアルミニウムを含む金属から成ることが好ましい。
【００２８】
本発明に係る太陽電池装置は、上記金属線が銅を含む金属から成る場合、当該金属線は樹脂によりコーティングされていることが好ましい。
【００２９】
上記の構成によれば、銅を含む金属から成る上記金属線の腐蝕を回避して、導電性を維持することができる。
【発明の効果】
【００３０】
本発明に係る太陽電池装置は、複数の太陽電池セルと、上記太陽電池セルにおける、上記各太陽電池セル、または上記太陽電池セルと外部装置との電気的接続を行うためのコモン電極端子以外の電極端子とを備え、上記太陽電池セルの複数の箇所において、上記太陽電池セルと上記電極端子との電気的接続が、当該電気的接続を行うための第１接続手段により行われることにより、上記太陽電池セルが物理的な力によって破断した場合でもその発電能力の低下を防ぐことを特徴としている。
【００３１】
上記の構成によれば、太陽電池セルと電極端子との電気的接続が、上記太陽電池セルの複数の箇所において第１接続手段により行われるため、物理的な力によって上記太陽電池セルが破断しても、いずれかの部分において電気的な接続が確保され、発電能力が低下することを防ぐことができる。
【００３２】
また、本発明に係る携帯電子機器は、上記太陽電池装置が搭載されている、もしくは電気的に接合されていることを特徴としている。また、本発明に係る全地球測位システム装置は、上記または下記太陽電池装置が搭載されている、もしくは電気的に接合されていることを特徴としている。
【００３３】
以上により、物理的な力によって太陽電池が破断しても発電能力が低下することを防ぐ太陽電池装置、携帯電子機器、並びに全地球測位システム装置を提供することができるという効果を奏する。
【発明を実施するための最良の形態】
【００３４】
本発明の実施形態について、図１〜図１３を用いて説明すると以下の通りである。
【００３５】
図１は、本実施形態に係る太陽電池装置１０の要部構成を示す図であり、図１（ａ）はその一部の平面図であり、図１（ｂ）はその一部の斜視図であり、図１（ｃ）は図１（ａ）に示すＡ−Ａ’部分の断面図である。まずは、図１を参照して、太陽電池装置１０の要部構成について説明する。
【００３６】
（太陽電池装置の要部構成）
太陽電池装置１０は、プリント基板１と、プリント基板１上に配置されている複数の導電体層２と、導電体層２上に配置されている複数の太陽電池セル３とを備えている。プリント基板１は、絶縁部を設けた、例えば銅もしくはステンレスから成る板であってもよい。導電体層２は、１つの導電体層２上に１つの太陽電池セル３が配置されており、金などの金属から成る。また、導電体層２の寸法は、太陽電池セル３の寸法よりやや大きく形成されており、この大きく余分に形成された部分に電極端子６（コモン電極端子（不図示）以外の電極端子）が形成されている。この電極端子６および導電体層２が、隣接する太陽電池セル３との接続に利用される。
【００３７】
太陽電池セル３は、長方形状（一例）であって、縦横に、例えば長方形状を形成するように配置されている。また、太陽電池セル３は、その表面上の少なくとも２箇所以上に、電極端子４（コモン電極端子（不図示）以外の電極端子）が設けられている。図１では、太陽電池セル３の同一の短辺の角に設けられている。電極端子４は、太陽電池セル３の表面に配されている配線８とそれぞれ金属線（第１接続手段）５によってワイヤボンディングにより接続されている（不図示であるが、後述する太陽電池セル３の電極端子４と導電体層２における電極端子６との金属線５による接続と同様に行われている）。各太陽電池セル３は、隣接する太陽電池セル３の電極端子４と導電体層２における電極端子６とがそれぞれ金属線５によってワイヤボンディングにより接続されることで、電気的接続がなされている。また、同様に、太陽電池セル３と外部装置（不図示）とは、太陽電池セル３の電極端子４と当該外部装置の電極端子とがそれぞれ金属線５によってワイヤボンディングにより接続されることで、電気的接続がなされている。なお、太陽電池セル３は、一般的な太陽電池セルであるので、その詳細については説明を省略する。本実施形態では、太陽電池セル３として長さ１０ｍｍ、幅１５ｍｍ、および厚さ１６０μｍの太陽電池セルを、電極端子４として１００μｍ角の電極端子を用いている。
【００３８】
金属線５は、断面（図１（ｂ）に示すＢ−Ｂ’部分の断面）の直径が１ｍｍ未満の金属線であって、本実施形態では断面の直径が２５μｍの金線を用いている。金属線５は、他には、銅もしくはアルミニウムを含む金属から成る金属線であってもよい。銅を含む金属から成る場合は、腐蝕を回避して、導電性を維持するために、金属線は樹脂によりコーティングされていることが好ましい。また、金属線５は、断面形状が、楕円や例えば三角形、四角形、六角形、あるいは八角形などの三角形以上の多角形であってもよい。
【００３９】
太陽電池装置１０では、以上のように、太陽電池セル３と電極端子４との電気的接続が、太陽電池セル３の所望の間隔を設けた複数の箇所において複数の金属線５を用いて行われるため、物理的な力によって太陽電池セル３が破断しても、いずれかの部分において電気的な接続が確保されるため、発電能力が低下することを防ぐことができる。図１に示した電極端子４の配置であれば、紙面向かって左右方向に太陽電池セル３が破断した場合に有利である。また、太陽電池装置１０が携帯電子機器に搭載される場合、専ら太陽電池セル３は長方形状を形成するように配置され、その場合太陽電池セル３は専ら長辺方向に破断し易い。
【００４０】
また、太陽電池装置１０が携帯電子機器に搭載される場合、その主なものとして携帯電話機が挙げられるが、この場合、太陽電池セル３と電極端子４との接続部分は、当該携帯電話機の額縁部分に収めるように構成されるものと考えられる。この場合、以上のような構成によれば、上記接続部分の面積が小さくて済むので、有利である。また、例えば半導体集積回路のワイヤボンディングなどに用いられる金属線は、断面の直径が１ｍｍ〜２ｍｍのものが主流であるが、以上のような構成のように１ｍｍ未満とすることで、より一層携帯電子機器へ適用する場合に有利である。
【００４１】
また、以上のような構成によれば、配線に自由度が増し、また上記接続部分の面積が小さくて済むためにその分太陽電池セル３の面積を大きくすることができる。
【００４２】
（太陽電池装置の変形例）
次に、太陽電池装置１０の各種変形例について説明する。なお、説明の便宜上、上述した実施形態における部材と同一の機能を有する部材には同一の部材番号を付し、その説明を省略する。また、基本的に上述した実施形態からの変更点についてのみ説明する。
【００４３】
図２は、太陽電池装置１０の変形例の要部構成を示す図であり、図２（ａ）はその一部の平面図であり、図２（ｂ）は図２（ａ）に示すＡ−Ａ’部分の断面図である。
【００４４】
本変形例では、太陽電池装置１０における金属線５を短手方向の長さ（図１（ｂ）に示すＢ−Ｂ’部分の長さ）が１ｍｍ未満の金属帯５Ａとしている。この場合、金属帯５Ａが、電極端子４の機能も兼ねている。金属帯５Ａと電極端子６（外部装置の電極端子）との接続は、はんだによって行われる。本実施形態では、金属帯５Ａとして、短手方向の長さが０．８ｍｍで、銅を基材として周囲にはんだめっきが施されている金属帯を用いている。ただし、金属帯５Ａは、この例に限らず、上述した材料で形成されてもよく、また、導電性を付した樹脂材であってもよい。
【００４５】
次に、図３〜図７は、太陽電池装置１０の他の変形例の要部構成を示す図であって、当該各変形例は、太陽電池セル３における電極端子４の配置を変更したものである。
【００４６】
図３の場合、電極端子４は、対向する短辺の角に対角となるように設けられている。この場合、上下方向（紙面向かって奥側−手前側方向）および左右方向に太陽電池セル３が破断しても、電気的な接続が確保される。
【００４７】
次に、図４の場合は、電極端子４が、Ｌ字を形成するように太陽電池セル３の角に設けられている。また、図５の場合は、電極端子４が、太陽電池セル３の全ての角に設けられているとともに、１つの長辺および短辺の中央部分に設けられている。この場合、より多くの電極端子４を配置するために、より高い確率で電気的な接続が確保される。
【００４８】
次に、図６の場合は、電極端子４が、太陽電池セル３の周縁部を連続して覆うような環状に（額縁状に）設けられている（電極端子４Ｂ）。また、太陽電池セル３の周縁部だけでなく、側面部分も覆うような構造であってもよい（電極端子４Ｃ）。電極端子４Ｂ，４Ｃは、金属帯５Ａと同様な材料で形成される。電極端子４Ｂ，４Ｃのような構造は、上述した電極端子４の構成と比較して、最も高い確率で電気的な接続が確保される。
【００４９】
次に、図７の場合は、電極端子４が、太陽電池セル３の周縁部を部分的に覆うような環状に（額縁状に）設けられている、つまりは電極端子４Ｂを部分的に欠けさせた構造を有している（電極端子４ＢＡ，４ＢＢ）。なお、以上のような電極端子４の配置例・構造例・材料例は、単なる一例に過ぎず、特に配置例は、太陽電池セル３が破断しやすい方向などを考慮してそれに対して電気的な接続が確保できるように太陽電池セル３の四隅、四辺、およびその双方に設けられていればよい。
【００５０】
次に、図８〜図９は、太陽電池装置１０のさらに他の変形例の要部構成を示す図であって、当該変形例は、太陽電池セル３に、電極端子４間を接続する接続部（第２接続手段）７，７Ａをさらに設けたものである。接続部７，７Ａを設けて電極端子４間を接続することで、より高い確率で電気的な接続が確保され、より確実に発電能力が低下することを防ぐことができる。本実施形態では、接続部７，７Ａとして、銀を含む金属から成る接続部を用いている。ただし、接続部７，７Ａは、この例に限らず、上述した金やアルミニウムで形成されていてもよい。
【００５１】
次に、図１０は、太陽電池装置１０のさらに他の変形例の要部構成を示す図であって、当該変形例は、太陽電池セル３の形状を変更するとともに、それに合わせて電極端子４や接続部７の形状・配置を変更したものである。すなわち、太陽電池セル３は円形状（太陽電池セル３ａ）もしくは半円形状（太陽電池セル３ｃ）であってもよく、それに合わせて電極端子４が、例えばその円周に合わせた形状や半円形状など、また円の中心部分に形成されており（電極端子４ａ，４ｃ）。また、それに合わせて接続部７が、ひし形状や放射状に形成されている（接続部７ａ，７ｃ）。また、太陽電池セル３は部分的に直角でない角を有する矩形（太陽電池セル３ｂ）であってもよく、それに合わせて電極端子４および接続部７が形成されている（電極端子４ｂ，接続部７ｂ）。
【００５２】
（太陽電池装置の適用例）
次に、太陽電池装置１０の適用例について説明する。図１１は、太陽電池装置１０を搭載した（電気的に接合されている状態でもよい）携帯電話機（携帯電子機器）２０の斜視図である。図１２は、太陽電池装置１０を搭載した（電気的に接合されている状態でもよい）携帯グローバルポジショニング装置（全地球測位システム装置、ＧＰＳ）（その他車載用でもよい）２５の斜視図である。図１３は、太陽電池装置１０を搭載した（電気的に接合されている状態でもよい）デジタルスチルカメラ（携帯電子機器）３０およびデジタルビデオカメラ（携帯電子機器）３５の斜視図である。
【００５３】
携帯電話機２０および携帯グローバルポジショニング装置２５においては、一例として装置の裏側に太陽電池装置１０が搭載されている。デジタルスチルカメラ３０およびデジタルビデオカメラ３５においては、一例として装置の上側や側面側に太陽電池装置１０が搭載されている。これら各種装置は、一般的なものであるから、その構造などの詳細については説明を省略する。これら各種装置において、太陽電池装置１０は、太陽光により発電を行い、当該発電した電力を上記装置における２次電池などの電力源へ供給する。太陽電池装置１０は、上述のように、太陽電池セル３と電極端子４との接続部分の面積が小さくて済むので携帯電子機器へ適用する場合に有利であり、かつ物理的な力によって太陽電池セル３が破断しても、いずれかの部分において電気的な接続が確保されて発電能力が低下することを防ぐことが可能であるため、上記装置では、従来の太陽電池装置を搭載した場合と比較して、その携帯性および動作の信頼性を向上できる。
【００５４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００５５】
本発明に係る太陽電池装置は、物理的な力によって太陽電池セルが破断しても、いずれかの部分において電気的な接続が確保されて発電能力が低下することを防ぐことが可能であり、携帯電話機、デジタルスチルカメラ、およびデジタルビデオカメラなどの携帯電子機器、並びにグローバルポジショニング装置などに好適に適用できる。
【図面の簡単な説明】
【００５６】
【図１】本発明の実施形態に係る太陽電池装置の要部構成を示す図であり、（ａ）はその一部の平面図であり、（ｂ）はその一部の斜視図であり、（ｃ）は（ａ）に示すＡ−Ａ’部分の断面図である。
【図２】太陽電池装置の変形例の要部構成を示す図であり、（ａ）はその一部の平面図であり、（ｂ）は（ａ）に示すＡ−Ａ’部分の断面図である。
【図３】太陽電池装置の他の変形例（太陽電池セルにおける電極端子の配置を変更したもの）の要部構成を示す図である。
【図４】太陽電池装置の他の変形例（太陽電池セルにおける電極端子の配置を変更したもの）の要部構成を示す図である。
【図５】太陽電池装置の他の変形例（太陽電池セルにおける電極端子の配置を変更したもの）の要部構成を示す図である。
【図６】太陽電池装置の他の変形例（太陽電池セルにおける電極端子の配置を変更したもの）の要部構成を示す図である。
【図７】太陽電池装置の他の変形例（太陽電池セルにおける電極端子の配置を変更したもの）の要部構成を示す図である。
【図８】太陽電池装置のさらに他の変形例（太陽電池セルに、電極端子間を接続する接続部をさらに設けたもの）の要部構成を示す図である。
【図９】太陽電池装置のさらに他の変形例（太陽電池セルに、電極端子間を接続する接続部をさらに設けたもの）の要部構成を示す図である。
【図１０】太陽電池装置のさらに他の変形例（太陽電池セルの形状を変更するとともに、それに合わせて電極端子や接続部の形状・配置を変更したもの）の要部構成を示す図である。
【図１１】本発明の実施形態に係る、太陽電池装置を搭載した携帯電話機の斜視図である。
【図１２】本発明の実施形態に係る、太陽電池装置を搭載した携帯グローバルポジショニング装置の斜視図である。
【図１３】本発明の実施形態に係る、太陽電池装置１０を搭載したデジタルスチルカメラおよびデジタルビデオカメラの斜視図である。
【図１４】従来技術に係るものであり、太陽電池装置における太陽電池セルの接続の様子を示す図である。
【符号の説明】
【００５７】
３      太陽電池セル
４      電極端子
５      金属線、金属帯
１０    太陽電池装置
２０    携帯電話機（携帯電子機器）
２５    携帯グローバルポジショニング装置（全地球測位システム装置）
３０    デジタルスチルカメラ（携帯電子機器）
３５    デジタルビデオカメラ（携帯電子機器）
【図１】
2010103441.tif 000003
【図２】
2010103441.tif 000004
【図３】
2010103441.tif 000005
【図４】
2010103441.tif 000006
【図５】
2010103441.tif 000007
【図６】
2010103441.tif 000008
【図７】
2010103441.tif 000009
【図８】
2010103441.tif 000010
【図９】
2010103441.tif 000011
【図１０】
2010103441.tif 000012
【図１１】
2010103441.tif 000013
【図１２】
2010103441.tif 000014
【図１３】
2010103441.tif 000015
【図１４】
2010103441.tif 000016
【手続補正書】
【提出日】平成21年9月30日(2009.9.30)
【手続補正１】
【補正対象書類名】明細書
【補正対象項目名】００１４
【補正方法】変更
【補正の内容】
【００１４】
上記太陽電池装置が搭載される携帯情報電子機器の主なものとしては、携帯電話機が挙げられるが、この場合、上記太陽電池セルと上記電極端子との接続部分は、携帯電話機の額縁部分に収めるように構成されるものと考えられる。この場合、上記の構成によれば、上記接続部分の面積が小さくて済むので、有利である。また、例えば太陽電池装置の接続などに用いられる金属帯は、短手方向の長さが１ｍｍ〜２ｍｍのものが主流であるが、上記の構成のように１ｍｍ未満とすることで、より一層携帯情報電子機器へ適用する場合に有利である。
【手続補正２】
【補正対象書類名】明細書
【補正対象項目名】００４０
【補正方法】変更
【補正の内容】
【００４０】
また、太陽電池装置１０が携帯電子機器に搭載される場合、その主なものとして携帯電話機が挙げられるが、この場合、太陽電池セル３と電極端子４との接続部分は、当該携帯電話機の額縁部分に収めるように構成されるものと考えられる。この場合、以上のような構成によれば、上記接続部分の面積が小さくて済むので、有利である。また、例えば太陽電池装置の接続などに用いられ金属帯は、短手方向の長さが１ｍｍ〜２ｍｍのものが主流であるが、以上のような構成のように１ｍｍ未満とすることで、より一層携帯電子機器へ適用する場合に有利である。